(57)【特許請求の範囲】
【請求項１】
三角錐状または三角錐台状に形成され、３つの側面を有する本体部と、
前記本体部の下端に設けられ、平面的に見て矩形状に形成された底面部とを備え、
前記側面は、高さ方向における断面形状が弧状に張り出すように形成されるとともに、標示を施すことが可能に構成されていることを特徴とする安全コーン。
【請求項２】
三角錐状または三角錐台状に形成され、３つの側面を有する本体部を備え、
前記側面は、高さ方向における断面形状が弧状に張り出すように形成されるとともに、下端側から上端側に向けて弧状に張り出す断面形状の湾曲度合いが徐々に大きくなるように構成され、かつ、標示を施すことが可能に構成されていることを特徴とする安全コーン。
【請求項３】
請求項１または２に記載の安全コーンにおいて、
前記本体部の下端に設けられた底面部を備え、
前記底面部には、重しが埋め込まれていることを特徴とする安全コーン。
【請求項４】
請求項３に記載の安全コーンにおいて、
平面的に見て前記本体部の中央に重心が一致するように、前記重しが配置されていることを特徴とする安全コーン。
【発明の詳細な説明】
【技術分野】
【０００１】
本発明は、安全コーンに関する。
【背景技術】
【０００２】
従来、道路や工事現場などに設置される安全コーンが知られている。このような安全コーンの一例としては、円錐状に形成された本体部を備えるものがある。そして、円錐状の本体部の周側面には、文字や図形などの標示が施される場合がある。この場合には、周側面の湾曲度合いが大きいことから、その周側面に施された標示が視認しにくいという不都合があった。
【０００３】
そこで、従来では、三角錐台状に形成された本体部を備える安全コーンが提案されている（たとえば、特許文献１参照）。この安全コーンの本体部は、３つの平坦な側面を有しており、その平坦な側面に標示が施されている。これにより、安全コーンに施された標示が視認しやすくなっている。
【先行技術文献】
【特許文献】
【０００４】
【特許文献１】特開２０１３−２２７７８６号公報
【発明の概要】
【発明が解決しようとする課題】
【０００５】
しかしながら、特許文献１に開示された従来の安全コーンでは、標示を視認しやすくすることが可能であるが、本体部の側面に対して垂直な方向から風を受けた場合にその風を逃がすことが困難である。このため、安全コーンが風を受けた場合に、設置位置からずれるように移動したり、転倒しやすくなるおそれがある。すなわち、特許文献１の安全コーンでは、耐風性能が悪化するという問題点がある。
【０００６】
本発明は、上記の課題を解決するためになされたものであり、本発明の目的は、標示が施されている場合にその標示を視認しやすくするとともに、耐風性能の悪化を抑制することが可能な安全コーンを提供することである。
【課題を解決するための手段】
【０００７】
本発明による安全コーンは、三角錐状または三角錐台状に形成され、３つの側面を有する本体部と、本体部の下端に設けられ、平面的に見て矩形状に形成された底面部とを備える。そして、側面は、高さ方向における断面形状が弧状に張り出すように形成されるとともに、標示を施すことが可能に構成されている。
【０００８】
このように構成することによって、本体部が円錐状である場合に比べて、側面の湾曲度合いを小さくすることができるので、側面に標示が施されている場合にその標示を視認しやすくすることができる。また、側面が平坦である場合に比べて、風を逃がしやすくすることができるので、耐風性能の悪化を抑制することができる。さらに、底面部が平面的に見て円形状に形成されている場合などに比べて、安全コーンが転倒したときに転がりにくくすることができる。
本発明による安全コーンは、三角錐状または三角錐台状に形成され、３つの側面を有する本体部を備える。そして、側面は、高さ方向における断面形状が弧状に張り出すように形成されるとともに、下端側から上端側に向けて弧状に張り出す断面形状の湾曲度合いが徐々に大きくなるように構成され、かつ、標示を施すことが可能に構成されている。
【０００９】
上記安全コーンにおいて、本体部の下端に設けられた底面部を備え、底面部には、重しが埋め込まれていてもよい。
【００１０】
このように構成すれば、安全コーンの重心を低くすることができるので、耐風性能の向上を図ることができる。また、転倒防止用の別体の重しを設置する必要がないので、安全コーンの設置作業および撤去作業の簡単化を図ることができる。
【００１１】
この場合において、平面的に見て本体部の中央に重心が一致するように、重しが配置されていてもよい。
【００１２】
このように構成すれば、各方向に対する耐風性能の均等化を図ることができる。
【発明の効果】
【００１５】
本発明の安全コーンによれば、標示が施されている場合にその標示を視認しやすくするとともに、耐風性能の悪化を抑制することができる。
【図面の簡単な説明】
【００１６】
【図１】本発明の一実施形態による安全コーンを示した正面図である。
【図２】図１の安全コーンを示した背面図である。
【図３】図１の安全コーンを示した左側面図である。
【図４】図１の安全コーンを示した右側面図である。
【図５】図１の安全コーンを示した平面図である。
【図６】図１の安全コーンを示した底面図である。
【図７】図５のＡ−Ａ断面図である。
【発明を実施するための形態】
【００１７】
以下、本発明の一実施形態について図面を参照して説明する。
【００１８】
まず、図１〜図７を参照して、本実施形態による安全コーン１００の構造について説明する。なお、安全コーン１００は、たとえば、道路や工事現場などに設置され、領域を区画して侵入を規制する用途などに用いられる。また、各図において、Ｚ１方向が上方向であり、Ｚ２方向が下方向であり、Ｙ１方向が前方向であり、Ｙ２方向が後方向であり、Ｘ１方向が左方向であり、Ｘ２方向が右方向である。
【００１９】
安全コーン１００は、図１〜図７に示すように、三角錐台状に形成された本体部１と、本体部１の下端に設けられた底面部２と、本体部１の上端に設けられた先端部３とを備えている。安全コーン１００は、たとえば、後述する重し５０を除き、破断しにくく柔らかい合成樹脂により一体的に形成されている。この安全コーン１００は、たとえば、高さ（Ｚ１およびＺ２方向の長さ）が７００ｍｍであり、総重量が５．０ｋｇである。
【００２０】
本体部１は、３つの側面１１（図５および図６参照）を有しており、側面１１をそれぞれ対向する側から見ると台形状になっている。側面１１は、板状に形成されており、本体部１の内部には中空部１ａ（図７参照）が形成されている。これにより、複数の安全コーン１００を積み重ねて運搬や収納することが可能である。
【００２１】
側面１１は、図５などに示すように、各高さ位置において中央が両端に比べて外側に膨らむように形成されている。すなわち、側面１１は、高さ方向における断面形状が弧状に張り出すように形成されている。なお、側面１１は、下端側から上端側に向けて、両端間の距離が徐々に小さくなるとともに、湾曲度合いが徐々に大きくなるように構成されている。側面１１の下端の曲率半径は、たとえば２８０ｍｍである。これにより、側面１１は、対向する側から風を受けた場合に、その風を中央側から端部側に向けて逃がしやすい形状になっている。
【００２２】
また、側面１１は、文字や図形などの標示（図示省略）を施すことが可能に構成されている。なお、標示の具体例としては、方向を示す立体図形状の矢印を挙げることができる。これにより、車両の運転手や歩行者などに各種の情報を提供することが可能である。たとえば、標示が施された側面１１を車両の走行方向と対向する方向に向けて配置することにより、その標示を車両の運転手に視認させることが可能である。
【００２３】
標示は、側面１１に直接描かれていてもよいし、側面１１に貼り付けられていてもよい。なお、標示は、３つの側面１１の全てに施されていてもよいし、３つの側面１１のうちのいずれか１つまたは２つの側面１１に施されていてもよい。
【００２４】
底面部２は、平面的に見て角丸正方形状に形成されている。この底面部２は、本体部１の下端から外側に延びるように形成され、つば状に形成されている。すなわち、底面部２には、底面側から見て略三角形状の開口部が形成されており、その開口部が中空部１ａの開放端となっている。また、底面部２の側面は、図１などに示すように、下端に対して上端が内側に傾斜するように形成されている。そして、底面部２では、側面と上端面との境界部が丸くなるように形成されている。底面部２の１辺の長さ（側面の下端の長さ）は、たとえば３８０ｍｍである。
【００２５】
底面部２の下面２ａには、図６などに示すように、安全コーン１００が設置されたときのグリップ性を向上させるために脚部２１および２２が設けられている。
【００２６】
脚部２１は、底面部２の下面２ａの４隅にそれぞれ設けられている。脚部２１は、下面２ａから下方に突出する台部２１ａと、台部２１ａから下方に突出する複数の突起２１ｂとを有する。台部２１ａおよび突起２１ｂは、底面側から見て円形に形成され、突起２１ｂの面積が台部２１ａに比べて小さい。
【００２７】
脚部２２は、底面部２の下面２ａの各辺に沿って間隔を隔てて複数設けられている。この脚部２２は、４つの辺にそれぞれ４つずつ設けられている。脚部２２は、下面２ａから下方に突出する台部２２ａと、台部２２ａから下方に突出する複数の突起２２ｂとを有する。台部２２ａおよび突起２２ｂは、底面側から見て円形に形成され、突起２２ｂの面積が台部２２ａに比べて小さい。
【００２８】
なお、突起２１ｂおよび２２ｂの面積は同じであり、台部２２ａの面積は台部２１ａに比べて小さい。また、脚部２１には、脚部２２に比べて多数の突起２１ｂが設けられている。そして、安全コーン１００が平坦な地面に設置された場合には、脚部２１の突起２１ｂおよび脚部２２の突起２２ｂがその地面に接触するようになっている。
【００２９】
また、底面部２には、図５〜図７に示すように、重し５０が埋め込まれている。この重し５０は、安全コーン１００が転倒するのを抑制するために設けられている。重し５０は、たとえばインサート成形によって埋め込まれている。また、重し５０は、安全コーン１００の重心が、本体部１を平面的に見たときの中央Ｃに一致するように配置さている。なお、本体部１を平面的に見たときの中央Ｃは、安全コーン１００を平面的に見たときの中央と一致するようになっている。また、安全コーン１００の重心の高さは、たとえば、脚部２１および２２の地面と接触する面から約６０ｍｍの位置である。
【００３０】
また、重し５０は、平面的に見て角丸正方形状に形成されるとともに、略三角形状の開口部を有する。すなわち、重し５０は、角丸正方形状の外側面５１と、略三角形状の内側面５２とを有する。外側面５１および内側面５２は、図７に示すように、下端に対して上端が内側に傾斜するように形成されている。なお、図５および図６では、外側面５１の下端および内側面５２の下端を破線で示している。
【００３１】
重し５０の底面には、図６に示すように、下方に突出する突部５３が形成されている。突部５３は、底面側から見て円形に形成されるとともに、間隔を隔てて複数設けられている。そして、重し５０の周囲が合成樹脂で覆われることにより、底面部２が形成されている。なお、重し５０の突部５３は露出されており、その突部５３が底面部２の下面２ａと面一である。
【００３２】
先端部３は、円筒状に形成されるとともに、本体部１の上端から連なるように形成されている。この先端部３には、上端に開口部３ａが形成されている。開口部３ａは、たとえば内径が４０ｍｍであり、発光装置（図示省略）を挿入可能に構成されている。そして、開口部３ａに発光装置が挿入されることにより、発光装置が安全コーン１００に取り付けられるようになっている。
【００３３】
また、先端部３は、図７に示すように、上端が内側に折れ曲がるように形成されている。先端部３は、たとえば、長さが５０ｍｍであり、外径が５６ｍｍ程度である。このため、設置作業および撤去作業の際に、作業者が先端部３を把持しやすくなっている。
【００３４】
−効果−
本実施形態では、上記のように、３つの側面１１を有する三角錐台状の本体部１を設けるとともに、高さ方向における断面形状が弧状に張り出すように側面１１を形成することによって、本体部が円錐状である場合に比べて、側面１１の湾曲度合いを小さくすることができるので、側面１１に標示が施されている場合にその標示を視認しやすくすることができる。たとえば、側面１１に立体図形状の矢印が標示されている場合には、その標示を車両の運転手や歩行者などに適切に視認させることができる。また、側面が平坦である場合に比べて、風を逃がしやすくすることができるので、側面１１が対向する側から風を受けた場合であっても、安全コーン１００が設置位置からずれるように移動したり、転倒するのを抑制することができる。すなわち、耐風性能の悪化を抑制することができる。その結果、標示が施されている場合にその標示を視認しやすくするとともに、耐風性能の悪化を抑制することができる。
【００３５】
また、本実施形態では、底面部２に重し５０を埋め込むことによって、安全コーン１００の重心を低くすることができるので、耐風性能の向上を図ることができる。また、転倒防止用の別体の重し（図示省略）を設置する必要がないので、安全コーン１００の設置作業および撤去作業の簡単化を図ることができる。
【００３６】
また、本実施形態では、安全コーン１００の重心が平面視における中央Ｃに一致することによって、各方向に対する耐風性能の均等化を図ることができる。
【００３７】
また、本実施形態では、底面部２を角丸正方形状にすることによって、底面部が平面的に見て円形状に形成されている場合などに比べて、安全コーン１００が転倒したときに転がりにくくすることができる。
【００３８】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００３９】
たとえば、本実施形態では、本体部１が三角錐台状に形成される例を示したが、これに限らず、本体部が三角錐状に形成されていてもよい。
【００４０】
また、本実施形態では、少なくとも１つの側面１１に標示が施される例を示したが、これに限らず、全ての側面に標示が施されていなくてもよい。
【００４１】
また、本実施形態では、底面部２に重し５０が埋め込まれる例を示したが、これに限らず、重しが設けられていなくてもよい。また、重しが設けられる場合において、その形状、配置、数などはどのようなものであってもよい。
【００４２】
また、本実施形態では、安全コーン１００の重心が平面視における中央Ｃに一致する例を示したが、これに限らず、安全コーンの重心が平面視における中央からずれていてもよい。
【００４３】
また、本実施形態では、底面部２が平面的に見て角丸正方形状である例を示したが、これに限らず、底面部が平面的に見て長方形状であってもよい。また、底面部が平面的に見て三角形状または円形状であってもよい。
【００４４】
また、本実施形態では、底面部２の下面２ａに脚部２１および２２が設けられる例を示したが、これに限らず、底面部に脚部が設けられていなくてもよい。また、脚部が設けられる場合において、その形状、配置、数などはどのようなものであってもよい。
【産業上の利用可能性】
【００４５】
本発明は、道路や工事現場などに設置される安全コーンに利用可能である。
【符号の説明】
【００４６】
１      本体部
２      底面部
１１    側面
５０    重し
１００  安全コーン
【図１】
0006277112.tif 000002
【図２】
0006277112.tif 000003
【図３】
0006277112.tif 000004
【図４】
0006277112.tif 000005
【図５】
0006277112.tif 000006
【図６】
0006277112.tif 000007
【図７】
0006277112.tif 000008